(57)【特許請求の範囲】
【請求項１】
排気管が給気管の内部に収容された二重管を用いる二重管方式での据え付けと、別個の排気管および給気管を用いる二本管方式での据え付けの何れかを選択可能な燃焼装置であって、
排気通路の外側を給気通路が囲うように形成された給排気口と、給気通路が形成された給気口を備えており、
給排気口は、二重管方式で使用する二重管と、リングキャップの何れについても嵌合可能に構成されており、
給気口は、二本管方式で使用する給気管と、キャップの何れについても嵌合可能に構成されており、
リングキャップは、給排気口において排気通路を開放して給気通路を閉塞する形状に形成されており、二本管方式で使用する排気管を嵌合可能に構成されており、
キャップは、給気口において給気通路を閉塞する形状に形成されており、
リングキャップが、ドーナツ円盤状のベースと、ベースから下方に突出する筒状の内側下向きソケットと、ベースから下方に突出する筒状の外側下向きソケットと、ベースから上方に突出する筒状の上向きソケットを備えており、
リングキャップが給排気口へ取り付けられた状態では、内側下向きソケットが排気通路へ嵌合しており、外側下向きソケットが給気通路へ嵌合しており、二本管方式で使用する排気管を上向きソケットに嵌合可能であり、
リングキャップが給排気口から取り外された状態では、二重管方式で使用する二重管の排気管を排気通路に嵌合可能であり、二重管の給気管を給気通路に嵌合可能である、燃焼装置。
【請求項２】
給排気口に、排気通路を形成する筒状の内側アダプタと、給気通路を形成する筒状の外側アダプタが取り付けられており、
リングキャップが給排気口へ取り付けられた状態では、内側下向きソケットが内側アダプタへ嵌合しており、外側下向きソケットが外側アダプタへ嵌合しており、二本管方式で使用する排気管を上向きソケットに嵌合可能であって、
リングキャップが給排気口から取り外された状態では、二重管方式で使用する二重管の排気管を内側アダプタに嵌合可能であり、二重管の給気管を外側アダプタに嵌合可能である、請求項１の燃焼装置。
【請求項３】
燃焼装置の据え付け方法であって、
燃焼装置は、排気管が給気管の内部に収容された二重管を用いる二重管方式での据え付けと、別個の排気管および給気管を用いる二本管方式での据え付けの何れかを選択可能であって、
燃焼装置は、排気通路の外側を給気通路が囲うように形成された給排気口と、給気通路が形成された給気口を備えており、
給排気口は、二重管方式で使用する二重管と、リングキャップの何れについても嵌合可能に構成されており、
給気口は、二本管方式で使用する給気管と、キャップの何れについても嵌合可能に構成されており、
リングキャップは、給排気口において排気通路を開放して給気通路を閉塞する形状に形成されており、二本管方式で使用する排気管を嵌合可能に構成されており、
キャップは、給気口において給気通路を閉塞する形状に形成されており、
リングキャップが、ドーナツ円盤状のベースと、ベースから下方に突出する筒状の内側下向きソケットと、ベースから下方に突出する筒状の外側下向きソケットと、ベースから上方に突出する筒状の上向きソケットを備えており、
リングキャップが給排気口へ取り付けられた状態では、内側下向きソケットが排気通路へ嵌合しており、外側下向きソケットが給気通路へ嵌合しており、二本管方式で使用する排気管を上向きソケットに嵌合可能であり、
リングキャップが給排気口から取り外された状態では、二重管方式で使用する二重管の排気管を排気通路に嵌合可能であり、二重管の給気管を給気通路に嵌合可能であり、
その方法は、
給排気口にリングキャップが取り付けられており、給気口にキャップが取り付けられている燃焼装置を用意し、
燃焼装置を二重管方式で据え付ける際には、給排気口からリングキャップを取り外して、二重管を給排気口に嵌合させ、
燃焼装置を二本管方式で据え付ける際には、給気口からキャップを取り外して、給気管を給気口に嵌合させ、排気管を給排気口のリングキャップに嵌合させる、燃焼装置の据え付け方法。
【発明の詳細な説明】
【技術分野】
【０００１】
本明細書は、燃焼装置および燃焼装置の据え付け方法に関する。
【背景技術】
【０００２】
特許文献１に、排気管が給気管の内部に収容された二重管を用いる二重管方式での据え付けと、別個の排気管および給気管を用いる二本管方式での据え付けの何れかを選択可能な燃焼装置が開示されている。
【先行技術文献】
【特許文献】
【０００３】
【特許文献１】実開昭６１−４８２４３号公報
【発明の概要】
【発明が解決しようとする課題】
【０００４】
特許文献１の技術では、作業者が燃焼装置の据え付け作業を行う際に、二重管方式での据え付けを行うか、あるいは二本管方式での据え付けを行うかに応じて、蓋板および隙間閉塞部材の付け替え等、複雑な作業が発生する。例えば、特許文献１の図１に示す二重管方式から図２に示す二本管方式に切り替える場合、蓋板８、隙間閉塞部材９、給気筒６を取り外してから、隙間閉塞部材９を排気筒７に挿通させて取付具１１によって開口部５ａに固定し、給気筒６を取付具１１によって開口部５ｂに固定する作業が必要となる。燃焼装置を二重管方式で据え付ける場合も、燃焼装置を二本管方式で据え付ける場合も、複雑な部品の付け替え作業を必要とせず、作業者が容易に二重管方式または二本管方式の切替選択をして、燃焼装置の据え付けを行うことが可能な技術が期待されている。
【課題を解決するための手段】
【０００５】
本明細書は、排気管が給気管の内部に収容された二重管を用いる二重管方式での据え付けと、別個の排気管および給気管を用いる二本管方式での据え付けの何れかを選択可能な燃焼装置を開示する。その燃焼装置は、排気通路の外側を給気通路が囲うように形成された給排気口と、給気通路が形成された給気口を備えている。給排気口は、二重管方式で使用する二重管と、リングキャップの何れについても嵌合可能に構成されている。給気口は、二本管方式で使用する給気管と、キャップの何れについても嵌合可能に構成されている。リングキャップは、給排気口において排気通路を開放して給気通路を閉塞する形状に形成されており、二本管方式で使用する排気管を嵌合可能に構成されている。キャップは、給気口において給気通路を閉塞する形状に形成されている。リングキャップは、ドーナツ円盤状のベースと、ベースから下方に突出する筒状の内側下向きソケットと、ベースから下方に突出する筒状の外側下向きソケットと、ベースから上方に突出する筒状の上向きソケットを備えている。リングキャップが給排気口へ取り付けられた状態では、内側下向きソケットが排気通路へ嵌合しており、外側下向きソケットが給気通路へ嵌合しており、二本管方式で使用する排気管を上向きソケットに嵌合可能である。リングキャップが給排気口から取り外された状態では、二重管方式で使用する二重管の排気管を排気通路に嵌合可能であり、二重管の給気管を給気通路に嵌合可能である。
【０００６】
上記の燃焼装置によれば、給排気口にリングキャップが取り付けられており、かつ給気口にキャップが取り付けられている状態から、給排気口のリングキャップを取り外すことで、二重管方式での据え付けを行うことができる。また、給排気口にリングキャップが取り付けられており、かつ給気口にキャップが取り付けられている状態から、給気口のキャップを取り外すことで、二本管方式での据え付けを行うこともできる。作業者は、据え付け作業の際に、リングキャップまたはキャップの何れか一方を取り外すだけでよく、複雑な部品の付け替え作業を行うことがないので、二重管方式または二本管方式の切替選択を極めて容易に行って、燃焼装置の据え付けを行うことができる。
【０００７】
上記の燃焼装置は、給排気口に、排気通路を形成する筒状の内側アダプタと、給気通路を形成する筒状の外側アダプタが取り付けられており、リングキャップが給排気口へ取り付けられた状態では、内側下向きソケットが内側アダプタへ嵌合しており、外側下向きソケットが外側アダプタへ嵌合しており、二本管方式で使用する排気管を上向きソケットに嵌合可能であって、リングキャップが給排気口から取り外された状態では、二重管方式で使用する二重管の排気管を内側アダプタに嵌合可能であり、二重管の給気管を外側アダプタに嵌合可能であるように構成することができる。
【０００８】
本明細書は、燃焼装置の据え付け方法も開示する。その燃焼装置は、排気管が給気管の内部に収容された二重管を用いる二重管方式での据え付けと、別個の排気管および給気管を用いる二本管方式での据え付けの何れかを選択可能である。その燃焼装置は、排気通路の外側を給気通路が囲うように形成された給排気口と、給気通路が形成された給気口を備えている。給排気口は、二重管方式で使用する二重管と、リングキャップの何れについても嵌合可能に構成されている。給気口は、二本管方式で使用する給気管と、キャップの何れについても嵌合可能に構成されている。リングキャップは、給排気口において排気通路を開放して給気通路を閉塞する形状に形成されており、二本管方式で使用する排気管を嵌合可能に構成されている。キャップは、給気口において給気通路を閉塞する形状に形成されている。リングキャップは、ドーナツ円盤状のベースと、ベースから下方に突出する筒状の内側下向きソケットと、ベースから下方に突出する筒状の外側下向きソケットと、ベースから上方に突出する筒状の上向きソケットを備えている。リングキャップが給排気口へ取り付けられた状態では、内側下向きソケットが排気通路へ嵌合しており、外側下向きソケットが給気通路へ嵌合しており、二本管方式で使用する排気管を上向きソケットに嵌合可能である。リングキャップが給排気口から取り外された状態では、二重管方式で使用する二重管の排気管を排気通路に嵌合可能であり、二重管の給気管を給気通路に嵌合可能である。その方法では、給排気口にリングキャップが取り付けられており、給気口にキャップが取り付けられている燃焼装置を用意し、燃焼装置を二重管方式で据え付ける際には、給排気口からリングキャップを取り外して、二重管を給排気口に嵌合させ、燃焼装置を二本管方式で据え付ける際には、給気口からキャップを取り外して、給気管を給気口に嵌合し、排気管を給排気口のリングキャップに嵌合させる。
【発明の効果】
【０００９】
本明細書が開示する燃焼装置および燃焼装置の据え付け方法によれば、燃焼装置を二重管方式で据え付ける場合も、燃焼装置を二本管方式で据え付ける場合も、部品の付け替え作業を行うことなく燃焼装置の据え付けを行うことができる。
【図面の簡単な説明】
【００１０】
【図１】実施例の燃焼装置２を二重管方式で据え付けた状態を模式的に示す断面図。
【図２】実施例の燃焼装置２を二本管方式で据え付けた状態を模式的に示す断面図。
【図３】実施例の燃焼装置２の給排気口４２と給気口４４の構成を示す拡大断面図。
【図４】実施例の燃焼装置２を二重管方式で据え付けた場合の給排気口４２と給気口４４の構成を示す拡大断面図。
【図５】実施例の燃焼装置２を二本管方式で据え付けた場合の給排気口４２と給気口４４の構成を示す拡大断面図。
【発明を実施するための形態】
【００１１】
（実施例）
図１および図２に示すように、本実施例の燃焼装置２は、筐体４の内部に燃焼室６を収容している。燃焼室６の内部には、バーナ８が収容されている。バーナ８には、図示しない燃料供給管から燃料ガスが供給される。バーナ８は、燃焼ガスを下向きに放出するように配置されている。燃焼室６の上部には、ファン１０によって筐体４の内部の空気が供給される。バーナ８が燃焼すると、燃焼ガスが燃焼室６の上部から下部へ向けて流れる。燃焼室６の下部は排気筒１２と連通しており、燃焼室６の下部まで到達した燃焼ガスは、排気筒１２の内部を下部から上部へ向けて流れて、燃焼装置２の外部へと排出される。
【００１２】
燃焼装置２は、水管２０を備えている。水管２０は、燃焼室６の内部を通過するように配置されている。水管２０の燃焼室６を通過する部分は、主熱交換部２４と潜熱熱交換部２６を備えている。主熱交換部２４では、水管２０の外側を流れる燃焼ガスと、水管２０の内側を流れる水との間で、顕熱熱交換が行われる。潜熱熱交換部２６では、水管２０の外側を流れる燃焼ガスと、水管２０の内側を流れる水との間で、顕熱熱交換と潜熱熱交換が行われる。燃焼室６の最下部には、潜熱熱交換部２６で発生するドレンを排出するドレンチューブ３０が接続されている。ドレンチューブ３０は、ドレンを貯めるドレン容器３２に接続されている。なお、筐体４の内部には、燃焼装置２の各種の構成要素の動作を制御する回路基板１４等も収容されている。
【００１３】
燃焼装置２は、図１に示すように、排気管３４が給気管３６の内部に収容された二重管３５を使用する二重管方式で据え付けることもできるし、図２に示すように、別個の排気管３８と給気管４０を使用する二本管方式で据え付けることもできる。図１に示す二重管方式で燃焼装置２を据え付けた場合、給気管３６からの空気は給排気口４２を介して筐体４の内部に導入され、排気筒１２からの排ガスは給排気口４２を介して排気管３４へと排出される。図２に示す二本管方式で燃焼装置２を据え付けた場合、給気管４０からの空気は給気口４４を介して筐体４の内部に導入され、排気筒１２からの排ガスは給排気口４２を介して排気管３８へと排出される。
【００１４】
図３は、燃焼装置２を工場から出荷する際の、給排気口４２と給気口４４の構成を示している。給排気口４２には、筐体４の上面に形成された開口の周囲を囲う筒状の外側アダプタ４６と、排気筒１２の上端に接続された筒状の内側アダプタ４８が取り付けられている。言い換えると、給排気口４２には、内側アダプタ４８によって排気通路が形成されており、外側アダプタ４６によって給気通路が形成されている。すなわち、給排気口４２は、排気通路の外側を給気通路が囲うように形成されている。外側アダプタ４６の上端には、リング状の外側シール５０が取り付けられている。外側シール５０は樹脂製である。外側シール５０の上面には座面５０ａが形成されており、外側シールの内面には凸部５０ｂが形成されている。内側アダプタ４８の内面には、リング状の内側シール５２が取り付けられている。内側シール５２は樹脂製である。内側シール５２の内面には、凸部５２ａが形成されている。
【００１５】
給排気口４２には、着脱可能なリングキャップ５４が取り付けられている。リングキャップ５４は、ドーナツ円盤状のベース５４ａと、ベース５４ａから下方に突出する筒状の内側下向きソケット５４ｂと、ベース５４ａから下方に突出する筒状の外側下向きソケット５４ｃと、ベース５４ａから上方に突出する筒状の上向きソケット５４ｄを備えている。上向きソケット５４ｄの内面には、リング状のシール５６が取り付けられている。シール５６は樹脂製である。シール５６の内面には、凸部５６ａが形成されている。リングキャップ５４を給排気口４２に取り付けた状態では、ベース５４ａの下面が外側シール５０の座面５０ａに当接しており、外側下向きソケット５４ｃの外面が外側シール５０の凸部５０ｂと当接して外側下向きソケット５４ｃが外側アダプタ４６に嵌合しており、内側下向きソケット５４ｂの外面が内側シール５２の凸部５２ａと当接して内側下向きソケット５４ｂが内側アダプタ４８に嵌合している。リングキャップ５４が給排気口４２に取り付けられた状態では、内側アダプタ４８により形成されている排気通路は開放されており、外側アダプタ４６により形成されている給気通路は閉塞されている。リングキャップ５４が給排気口４２から取り外された状態では、内側アダプタ４８により形成されている排気通路と、外側アダプタ４６により形成されている給気通路は、両方とも開放されている。リングキャップ５４は、燃焼装置２の据え付け作業時に、作業者が現場で着脱可能である。
【００１６】
給気口４４には、筐体４に形成された開口の周囲を囲う筒状のアダプタ５８が取り付けられている。言い換えると、給気口４４には、アダプタ５８によって給気通路が形成されている。アダプタ５８の内面には、リング状のシール６０が取り付けられている。シール６０は樹脂製である。シール６０の内面には、凸部６０ａが形成されている。
【００１７】
給気口４４には、着脱可能なキャップ６２が取り付けられている。キャップ６２は、円盤状のベース６２ａと、ベース６２ａから下方に突出する筒状の下向きソケット６２ｂを備えている。キャップ６２を給気口４４に取り付けた状態では、ベース６２ａの下面がアダプタ５８の上端と当接しており、下向きソケット６２ｂの外面がシール６０の凸部６０ａと当接して下向きソケット６２ｂがアダプタ５８に嵌合している。キャップ６２が給気口４４に取り付けられた状態では、アダプタ５８によって形成されている給気通路が閉塞される。キャップ６２が給気口４４から取り外された状態では、アダプタ５８によって形成されている給気通路が開放される。キャップ６２は、燃焼装置２の据え付け作業時に、作業者が現場で着脱可能である。
【００１８】
図４に示すように、燃焼装置２を二重管方式で据え付ける場合、作業者は、給排気口４２からリングキャップ５４を取り外して、排気管３４と給気管３６を備える二重管３５を給排気口４２へ嵌合させる。この場合、排気管３４の外面が内側シール５２の凸部５２ａと当接して、給気管３６の外面が外側シール５０の凸部５０ｂと当接して、二重管３５が内側アダプタ４８および外側アダプタ４６に嵌合する。これにより、排気管３４が排気筒１２と連通し、給気管３６が筐体４の内部の空間と連通する。
【００１９】
図５に示すように、燃焼装置２を二本管方式で据え付ける場合、作業者は、給気口４４からキャップ６２を取り外して、給気管４０を給気口４４へ嵌合させる。この場合、給気管４０の外面がシール６０の凸部６０ａと当接して、給気管４０がアダプタ５８に嵌合する。これにより、給気管４０が筐体４の内部の空間と連通する。さらに、作業者は、給排気口４２にリングキャップ５４が取り付けられた状態のまま、排気管３８を給排気口４２のリングキャップ５４に嵌合させる。この場合、排気管３８の外面が上向きソケット５４ｄのシール５６の凸部５６ａと当接して、排気管３８がリングキャップ５４に嵌合する。これにより、排気管３８が排気筒１２と連通する。
【００２０】
本実施例の燃焼装置２によれば、据え付け作業時に、給排気口４２からリングキャップ５４を取り外せば二重管方式での据え付けが可能となり、給気口４４からキャップ６２を取り外せば二本管方式での据え付けが可能となる。作業者は、据え付け作業の際に、部品の付け替え作業を行うことなく、二重管方式または二本管方式での燃焼装置２の据え付けを行うことができる。燃焼装置２の据え付け作業を極めて容易に行うことができる。
【００２１】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００２２】
２     燃焼装置
４     筐体
６     燃焼室
８     バーナ
１０   ファン
１２   排気筒
１４   回路基板
２０   水管
２４   主熱交換部
２６   潜熱熱交換部
３０   ドレンチューブ
３２   ドレン容器
３４   排気管
３５   二重管
３６   給気管
３８   排気管
４０   給気管
４２   給排気口
４４   給気口
４６   外側アダプタ
４８   内側アダプタ
５０   外側シール
５０ａ 座面
５０ｂ 凸部
５２   内側シール
５２ａ 凸部
５４   リングキャップ
５４ａ ベース
５４ｂ 内側下向きソケット
５４ｃ 外側下向きソケット
５４ｄ 上向きソケット
５６   シール
５６ａ 凸部
５８   アダプタ
６０   シール
６０ａ 凸部
６２   キャップ
６２ａ ベース
６２ｂ 下向きソケット
【図１】
0005993890.tif 000002
【図２】
0005993890.tif 000003
【図３】
0005993890.tif 000004
【図４】
0005993890.tif 000005
【図５】
0005993890.tif 000006